(57)【要約】【課題】汚染土壌等の収容作業における表示処理が不要な土嚢袋を提供する。【解決手段】土嚢袋１は、筒状の胴部１０と、胴部１０の下端に設けられた底部１１と、胴部１０に縫着された吊りベルト１２と、胴部１０の上端から延設される筒状の開閉筒部１３とを備えており、収容される被収容物の種別を示すマーカーＭ１、Ｍ２を備えている。土嚢袋１は、収容される被収容物の種別を示すマーカーＭ１、Ｍ２を備えているので、汚染土壌等の被収容物を収容した後に、土嚢袋１一つ一つに危険物であることを示す表示を付すといった作業が不要になり、作業効率が向上する。【選択図】図１
0003182824.tif 000002
【実用新案登録請求の範囲】
【請求項１】
筒状の胴部と、前記胴部の下端に設けられた底部と、前記胴部に縫着された吊りベルトと、前記胴部の上端から延設される筒状の開閉筒部と、を備える土嚢袋において、
収容される被収容物の種別を示すマーカーを備える、
ことを特徴とする土嚢袋。
【請求項２】
前記マーカーの色が前記胴部及び開閉筒部の色と異なる、
ことを特徴とする請求項１に記載の土嚢袋。
【請求項３】
前記吊りベルトが前記胴部から延伸している部位に前記マーカーが配置されている、
ことを特徴とする請求項１又は２に記載の土嚢袋。
【請求項４】
前記マーカーが前記胴部に配置されている、
ことを特徴とする請求項１又は２に記載の土嚢袋。
【請求項５】
前記マーカーが前記吊りベルトを覆っている、
ことを特徴とする請求項１乃至４のいずれか一項に記載の土嚢袋。
【考案の詳細な説明】
【技術分野】
【０００１】
本考案は、土嚢袋に関する。
【背景技術】
【０００２】
土壌や瓦礫などが放射能で汚染される事態が生じた場合、汚染された土壌等は有害であり、また、その浄化には長期間を要するため、土嚢袋に収容して地中などへの隔離保管が行われる。このような処理に用いられる土嚢袋として、海岸・河川・道路などの土木工事に用いられる高さや幅が１ｍを超えるような大型の土嚢袋が使用されている（例えば、特許文献１、２）。
【０００３】
そして、汚染された土壌等が収容された土嚢袋には、その内容物が危険物であることを示す表示が付けられる。これまでは土嚢袋に土壌等を収容した後に、作業者がカラースプレー等で土嚢袋に一つ一つ表示を付けていた。
【先行技術文献】
【特許文献】
【０００４】
【特許文献１】特開２００９−６２７３６号公報
【特許文献２】特開２００８−２２３２４８号公報
【考案の概要】
【考案が解決しようとする課題】
【０００５】
汚染土壌等を土嚢袋に収容した後に、作業者がカラースプレー等で土嚢袋に一つ一つ表示を付すことは、汚染土壌の収容作業を繁雑にしてしまうという問題がある。
【０００６】
本考案は、上記事項に鑑みてなされたものであり、その目的とするところは、汚染土壌等の収容作業における表示処理が不要な土嚢袋を提供することにある。
【課題を解決するための手段】
【０００７】
本考案に係る土嚢袋は、
筒状の胴部と、前記胴部の下端に設けられた底部と、前記胴部に縫着された吊りベルトと、前記胴部の上端から延設される筒状の開閉筒部と、を備える土嚢袋において、
収容される被収容物の種別を示すマーカーを備える、
ことを特徴とする。
【０００８】
また、前記マーカーの色が前記胴部及び開閉筒部の色と異なることが好ましい。
【０００９】
また、前記吊りベルトが前記胴部から延伸している部位に前記マーカーが配置されていることが好ましい。
【００１０】
また、前記マーカーが前記胴部に配置されていることが好ましい。
【００１１】
また、前記マーカーが前記吊りベルトを覆っていることが好ましい。
【考案の効果】
【００１２】
本考案に係る土嚢袋は、収容される被収容物の種別を示すマーカーを備えているので、汚染土壌等の被収容物を収容した後に、土嚢袋一つ一つに危険物であることを示す表示を付すといった作業が不要になり、作業効率が向上する。
【図面の簡単な説明】
【００１３】
【図１】土嚢袋の外観を示す斜視図である。
【図２】土嚢袋の底面図である。
【図３】土嚢袋に被収容物が収容された状態を示す斜視図である。
【図４】土嚢袋に被収容物が収容された状態を示す平面図である。
【図５】他の実施の形態に係る土嚢袋に被収容物が収容された状態を示す斜視図である。
【考案を実施するための形態】
【００１４】
以下、図を参照しつつ、本実施の形態に係る土嚢袋について説明する。土嚢袋１は、筒状の胴部１０と、胴部１０の下端に設けられる底部１１と、胴部１０に縫着される吊りベルト１２と、胴部１０の上端から延設される筒状の開閉筒部１３と、マーカーＭ１、Ｍ２を備える。
【００１５】
胴部１０は、織布が筒状に形成されたものである。底部１１は、胴部１０の外径と略同寸法の円形状であり、底部１１の周縁部と胴部１０の下端とが縫着される。
【００１６】
開閉筒部１３は、胴部１０と同じく織布が筒状に形成されたもので、その下端の外側と、胴部１０上端の内側とが接し、縫着されている。開閉筒部１３には、開閉筒部１３を絞って閉じるための開閉紐１４が設けられている。
【００１７】
そして、胴部１０には二本の吊りベルト１２が設けられている。吊りベルト１２は、胴部１０から延伸する箇所がループ状であり、この箇所にクレーンのフック等が掛けられて土嚢袋１が吊り上げられる。吊りベルト１２は、例えば、図２に示すように、一本の吊りベルト１２を環状に用いて、底部１１の中央で交差させ、胴部１０及び底部１１にそれぞれ縫着される。また、吊りベルト１２の底部１１に対する縫着部分の一部は、底部１１に底補強布１７が縫着され、その上に吊りベルト１２が縫着される。また、吊りベルト１２の胴部１０に対する縫着部分の最上部には大きな力が加わることから、胴部１０に胴補強布１５が縫着され、その上に吊りベルト１２が縫着され、さらにその上にベルト押さえ１６が縫着されている。
【００１８】
なお、織布は合成繊維で構成され、材質は、高密度ポリエチレン、中密度ポリエチレン、ポリプロピレン、エチレン・プロピレン共重合体、エチレン・α−オレフィン系共重合体などのポリオレフィン系合成樹脂、ナイロンなどのポリアミド系合成樹脂、ポリエチレンテレフタレートなどのポリエステル系合成樹脂、ポリ塩化ビニル系合成樹脂、ポリ塩化ビニリデン−ビニル共重合体系合成樹脂などが挙げられる。
【００１９】
縫着に用いられる糸は、フラットヤーン、モノフィラメント、マルチフィラメントなどが挙げられる。さらに、これらを縫製するための糸はポリエステル繊維のものを用いる。
【００２０】
また、土嚢袋１の胴部１０、底部１１、吊りベルト１２、開閉筒部１３、胴補強布１５、ベルト押さえ１６及び底補強布１７を構成する糸並びにこれらを縫製する糸は、耐候性安定剤を添加したものが用いられることが好ましい。耐候性安定剤としては、カーボンブラックなどの紫外線を吸収する顔料、紫外線吸収剤や光安定剤が挙げられる。
【００２１】
更に、土嚢袋１の胴部１０、底部１１および開閉筒部１３の製織については、スルーザー織機、レピア織機、サーキュラー織機など、従来の織機で製織できるが、とくに、両側縁を一重織、中央部を二重織とする袋織としたり、サーキュラー織機で筒状織物としたりすることが望ましい。
【００２２】
マーカーＭ１、Ｍ２は、収容される被収容物が汚染土壌である等、被収容物の種別を識別可能にする識別表示である。
【００２３】
本実施の形態では、吊りベルト１２が胴部１０から延伸している箇所、即ち、吊りベルト１２のループ状の箇所にマーカーＭ１が配置されている。マーカーＭ１は、合成繊維等から構成され、筒状に形成されて吊りベルト１２を覆うよう配置されている。
【００２４】
また、ベルト押さえ１６にマーカーＭ２が配置されている。マーカーＭ２は、合成繊維等から構成され、ベルト押さえ１６に縫着されている。
【００２５】
マーカーＭ１、Ｍ２は、作業者等による識別を容易にするものであり、マーカーＭ１、Ｍ２の色が、胴部１０及び開閉筒部１３の色と異なる色であることが好ましく、胴部１０及び開閉筒部１３の色に対して際立つ色であることが好ましい。一般的な土嚢袋は、黒色や褐色等の暗色系の色であるので、マーカーＭ１、Ｍ２は彩度や明度の高い色であることが好ましい。
【００２６】
マーカーＭ１、Ｍ２は、土嚢袋１の外表面に配置されるものゆえ、耐候性及び耐摩耗性に優れた素材で構成されていることが好ましい。土嚢袋１は、汚染土壌等が収容された後、長期間保管されるものであるため、土嚢袋１の保管中に、マーカーＭ１、Ｍ２が、保管環境による腐食や摩擦等による消失や変色しないことが要求されるためである。
【００２７】
上述した土嚢袋１では、汚染土壌等の被収容物を収容する際には、作業者がマーカーＭ１、Ｍ２を認識して、この土嚢袋１に何を収容すべきかを容易に認識できる。
【００２８】
また、図３、図４に示すように、汚染土壌等を土嚢袋１に収容した後は、開閉紐１４を結んで開口を閉じ、所定の保管場所へ運搬すればよく、土嚢袋１に汚染土壌等を収容した後に、土嚢袋１一つ一つに危険物であることを示す表示を付すといった作業が不要になり、作業効率が向上する。
【００２９】
また、被収容物の充填時だけでなく、長期間に渡る保管時、保管後においても、土嚢袋１の中に収容されているものが何であるかも、容易に認識することができる。
【００３０】
本考案に係る土嚢袋は、上記実施の形態に限定されず、種々の変形例を取り得る。例えば、図５に示す土嚢袋２のように、マーカーＭ３が胴部１０の側面を周回して配置されていてもよい。また、吊りベルト１２やベルト押さえ１６を胴部１０及び開閉筒部１３と異なる配色とし、吊りベルト１２やベルト押さえ１６自体をマーカーとして機能させるよう構成されていてもよい。
【符号の説明】
【００３１】
１    土嚢袋
２    土嚢袋
１０    胴部
１１    底部
１２    吊りベルト
１３    開閉筒部
１４    開閉紐
１５    胴補強布
１６    ベルト押さえ
１７    底補強布
Ｍ１    マーカー
Ｍ２    マーカー
Ｍ３    マーカー
【図１】
0003182824.tif 000003
【図２】
0003182824.tif 000004
【図３】
0003182824.tif 000005
【図４】
0003182824.tif 000006
【図５】
0003182824.tif 000007